(57)【要約】    【課題】製作が容易で加温性、フィット性に優れた使い捨て立体マスクを提供する。    【解決手段】マスク本体３と、このマスク本体３の左右両側に設けられた一対の耳掛け部４とを備え、マスク本体３は左右の不織布シート１をこのマスク本体３の略中央で上下方向の略円弧状の接合縁２により接合して成り、左右の不織布シート１に、発熱粉体２４の反応熱により着用者の顔面の被発熱部位を加温する発熱シート５を設ける。発熱シート５は不織布シート１の内面に粘着部２５を介してに着脱自在に貼着する。【選択図】      図１
2011143277.tif 000002
【特許請求の範囲】
【請求項１】
マスク本体（３）と、該マスク本体（３）の左右両側に設けられた一対の耳掛け部（４）とを備えた不織布製の使い捨て立体マスクであって、前記マスク本体（３）は左右の不織布シート（１）を該マスク本体（３）の略中央で上下方向の略円弧状の接合縁（２）により接合して成り、左右の前記不織布シート（１）に、着用者の顔面の被加温部位を加温する加温シート（５）又は着用者の被保温部位を保温する保温シートを設けたことを特徴とする使い捨て立体マスク。
【請求項２】
前記マスク本体（３）は内外に不織布シート（１）を備えた複層構造であり、該不織布シート（１）の層間に前記加温シート（５）又は保温シートを介装したことを特徴とする請求項１に記載の使い捨て立体マスク。
【請求項３】
前記加温シート（５）又は保温シートは前記マスク本体（３）の内面に設けたことを特徴とする請求項１又は２に記載の使い捨て立体マスク。
【請求項４】
前記加温シート（５）又は保温シートは前記左右の不織布シート（１）に跨がる長さを有し、該加温シート（５）に前記接合縁（２）に対応して切り欠き部（３５）を設けたことを特徴とする請求項１〜３の何れかに記載の使い捨て立体マスク。
【請求項５】
前記加温シート（５）又は保温シートは粘着部（２５）を介して前記不織布シート（１）に着脱自在に貼着したことを特徴とする請求項１〜４の何れかに記載の使い捨て立体マスク。
【請求項６】
前記マスク本体（３）は前記各不織布シート（１）の上部を着用者の顔面の凹凸形状に沿わせるための保形体（３３）を有し、該保形体（３３）に対応して前記不織布シート（１）に前記加温シート（５）又は保温シートを貼着したことを特徴とする請求項１〜５の何れかに記載の使い捨て立体マスク。
【請求項７】
前記加温シート（５）は発熱粉体（２４）の反応熱により加温する発熱シートであることを特徴とする請求項１〜６の何れかに記載の使い捨て立体マスク。
【請求項８】
前記加温シート（５）は左右の各不織布シート（１）に対応する発熱部（５ａ）と、該両発熱部（５ａ）間を接続する接続部（５ｂ）とを備えた前記発熱シートであることを特徴とする請求項７に記載の使い捨て立体マスク。
【請求項９】
請求項７又は８に記載の使い捨て立体マスク（３６）をガスバリアー性を有する密封袋（３７）に封入したことを特徴とする使い捨て立体マスク封入体。
【請求項１０】
マスク本体（３）に貼着して使用される使い捨て立体マスク用加温シートであって、左右方向の略中央に形成された切り欠き部（３５）を備えたことを特徴とする使い捨て立体マスク用加温シート
【請求項１１】
マスク本体（３）に貼着して使用される使い捨て立体マスク用加温シートであって、左右方向の略中央に破断可能な破断部（３９）を上下方向に設けたことを特徴とする使い捨て立体マスク用加温シート
【請求項１２】
発熱粉体（２４）の反応熱により発熱する左右両側の発熱部（５ａ）と、左右方向の略中央で前記両発熱部（５ａ）間を接続する接続部（５ｂ）とを備え、裏面側に貼着用の粘着部（２５）を有することを特徴とする請求項１０又は１１に記載の使い捨て立体マスク用加温シート
【請求項１３】
前記切り欠き部（３５）又は破断部（３９）の左右両側に前記粘着部（２５）を有することを特徴とする請求項１２に記載の使い捨て立体マスク用加温シート。
【請求項１４】
少なくとも前記接続部（５ａ）に前記粘着部（２５）を有することを特徴とする請求項１２に記載の使い捨て立体マスク用加温シート。
【発明の詳細な説明】
【技術分野】
【０００１】
本発明は、発熱粉体の反応熱により着用者の顔面の所要部位を加温できる使い捨て立体マスク、使い捨て立体マスクを密封袋に封入した使い捨て立体マスク封入体、及び使い捨て立体マスクに貼着して使用される使い捨て立体マスク用加温シートに関するものである。
【背景技術】
【０００２】
アレルギー性鼻炎、花粉症等の症状は、くしゃみ、鼻水、鼻詰まり等として現れる。これらの諸症状は、空気中に飛散する杉花粉、ダスト、ダニ、排ガス等のアレルゲンが鼻腔内粘膜に付着することによって発現することが知られている。
【０００３】
これらの諸症状を簡便に予防、緩和又は除去する対策の一つとして、着用者の口元周辺部分から鼻部周辺の鼻腔及び上顎洞の表面部分、目頭部間の篩骨洞の表面部分を含む一帯を覆うシート状のマスク本体と、マスク本体の左右両側に設けられた左右一対の耳掛け部とを備え、またマスク本体から上方に突出して目頭部間を覆う突出部に発熱粉体を複合して、その発熱粉体の反応熱により着用者の鼻部上部を加温するようにした保温マスクが提案されている（特許文献１）。
【先行技術文献】
【特許文献】
【０００４】
【特許文献１】特開平０７−３２８１３５号公報
【発明の概要】
【発明が解決しようとする課題】
【０００５】
この保温マスクは、マスク本体で花粉等の微粒子の鼻腔への侵入を阻止する一方、マスク本体で上顎洞、篩骨洞の表面周辺を含む鼻部周辺を保温、加温することにより、アレルギー性鼻炎等の諸症状の発現を予防、緩和又は除去することができる利点がある。
【０００６】
しかし、従来の保温マスクは、横長矩形状のマスク本体をベースとし、このマスク本体の内側の左右方向の中央に、鼻部上部を被覆する突出部をマスク本体とは別体に設ける等の構造を採用し、その突出部に発熱粉体を複合させているため、構造的に複雑である上に加工工数が増えて製作が煩わしく、しかも着用者の顔面に対するフィット性に欠ける欠点がある。
【０００７】
本発明は、従来のこのような課題に鑑み、製作が容易で加温性又は保温性、フィット性に優れた使い捨て立体マスク、その使い捨て立体マスクが密封袋に封入された使い捨て立体マスク封入体、及びその使い捨て立体マスクに貼着して使用される使い捨て立体マスク用加温シートを提供することを目的とする。
【課題を解決するための手段】
【０００８】
本発明に係る使い捨て立体マスクは、マスク本体３と、該マスク本体３の左右両側に設けられた一対の耳掛け部４とを備えた不織布製の使い捨て立体マスクであって、前記マスク本体３は左右の不織布シート１を該マスク本体３の略中央で上下方向の略円弧状の接合縁２により接合して成り、左右の前記不織布シート１に、着用者の顔面の被加温部位を加温する加温シート５又は着用者の被保温部位を保温する保温シートを設けたものである。
【０００９】
また前記マスク本体３は内外に不織布シート１を備えた複層構造であり、該不織布シート１の層間に前記加温シート５又は保温シートを介装したもの、前記マスク本体３の内面に設けたもの、又は前記左右の不織布シート１に跨がる長さを有し、該加温シート５に前
記接合縁２に対応して切り欠き部３５を設けたものでもよい。
【００１０】
前記加温シート５又は保温シートは粘着部２５を介して前記不織布シート１に着脱自在に貼着してもよい。前記マスク本体３は前記各不織布シート１の上部を着用者の顔面の凹凸形状に沿わせるための保形体３３を有し、該保形体３３に対応して前記不織布シート１に前記加温シート５又は保温シートを貼着している。前記加温シート５は発熱粉体２４の反応熱により加温する発熱シートでもよい。前記加温シート５は左右の各不織布シート１に対応する発熱部５ａと、該両発熱部５ａ間を接続する接続部５ｂとを備えた前記発熱シートでもよい。
【００１１】
また本発明に係る使い捨て立体マスク封入体は、使い捨て立体マスク３６をガスバリアー性を有する密封袋３７に封入したものである。
【００１２】
更に本発明に係る使い捨て立体マスク用加温シートは、マスク本体３に貼着して使用される使い捨て立体マスク用加温シートであって、左右方向の略中央に形成された切り欠き部３５を備え、または左右方向の略中央に破断可能な破断部３９を上下方向に設けたものである。
【００１３】
なお、加温シートは発熱粉体２４の反応熱により発熱する左右両側の発熱部５ａと、左右方向の略中央で前記両発熱部５ａ間を接続する接続部５ｂとを備え、裏面側に貼着用の粘着部２５を有するもの、前記切り欠き部３５又は破断部３９の左右両側に前記粘着部２５を有するもの、又は少なくとも前記接続部５ａに前記粘着部２５を有するものでもよい。
【発明の効果】
【００１４】
本発明に係る使い捨て立体マスクは、マスク本体３と、該マスク本体３の左右両側に設けられた一対の耳掛け部４とを備えた不織布製の使い捨て立体マスクであって、前記マスク本体３は左右の不織布シート１を該マスク本体３の略中央で上下方向の略円弧状の接合縁２により接合して成り、左右の前記不織布シート１に、着用者の顔面の被加温部位を加温する加温シート５又は着用者の被保温部位を保温する保温シートを設けているため、製作が容易で保温性、フィット性に優れたものとなり、顔面を効率的に加温又は保温することができる。
【００１５】
また本発明に係る使い捨て立体マスク封入体は、発熱粉体２４の反応熱により加温する発熱シート５を有する使い捨て立体マスク３６をガスバリアー性を有する密封袋３７に封入しているため、立体マスク３６を簡便に使用できる。
【００１６】
更に本発明に係る使い捨て立体マスク用加温シートは、マスク本体３に貼着して使用される使い捨て立体マスク用加温シートであって、左右方向の略中央に形成された切り欠き部３５を備え、又は左右方向の略中央に破断可能な破断部３９を上下方向に設けているので、加温シートを立体マスクのマスク本体３の形状に沿って容易に貼着できる。
【図面の簡単な説明】
【００１７】
【図１】本発明の第１の実施例を示す使い捨て立体マスクの斜視図である。
【図２】同装着状態の正面図である。
【図３】同装着状態の側面図である。
【図４】同装着状態の要部の平面断面図である。
【図５】同発熱シートの封入体の断面図である。
【図６】同発熱シートの封入体の平面図である。
【図７】同張力の測定結果を示す図である。
【図８】本発明の第２の実施例を示す使い捨て立体マスクの斜視図である。
【図９】同装着状態の平面断面図である。
【図１０】同発熱シートの封入体の断面図である。
【図１１】本発明の第３の実施例を示す平面断面図である。
【図１２】本発明の第４の実施例を示す使い捨て立体マスクの側面図である。
【図１３】同装着状態の平面断面図である。
【図１４】同要部の拡大断面図である。
【図１５】本発明の第５の実施例を示す要部の背面図である。
【図１６】同平面断面図である。
【図１７】本発明の第６の実施例を示す使い捨て立体マスクの斜視図である。
【図１８】同装着状態の正面図である。
【図１９】同装着状態の側面図である。
【図２０】同平面断面図である。
【図２１】同発熱シートの破断斜視図である。
【図２２】同発熱シートの封入体の平面図である。
【図２３】本発明の第７の実施例を示す装着状態の平面断面図である。
【図２４】同発熱シートの斜視図である。
【図２５】同貼着途中の断面図である。
【図２６】同変形例を示す断面図である。
【図２７】本発明の第８の実施例を示す立体マスクの背面図である。
【図２８】同装着状態の平面断面図である。
【図２９】同側面断面図である。
【図３０】同発熱シートの斜視図である。
【図３１】（Ａ）〜（Ｃ）は発熱シートの背面図である。
【図３２】本発明の第９の実施例を示す立体マスクの平面図である。
【図３３】同断面図である。
【図３４】本発明の第１０の実施例を示す立体マスクの平面図である。
【図３５】同断面図である。
【図３６】本発明の第１１の実施例を示す立体マスクの平面図である。
【図３７】同断面図である。
【発明を実施するための形態】
【００１８】
以下、本発明の各実施例を図面に基づいて詳述する。図１〜図７は本発明に係る使い捨て立体マスクと使い捨て立体マスク封入体との第１の実施例を例示する。この使い捨て立体マスクは図１〜図４に示すように、左右一対の不織布シート１を接合縁２で接合して成るマスク本体３と、このマスク本体３の左右両側に設けられた左右一対の耳掛け部４と、マスク本体３の各不織布シート１に設けられた発熱シート５とを備えている。
【００１９】
マスク本体３は主覆い部６と、この主覆い部６の左右方向の中央部分から上方へと山形状に突出する突出覆い部７とを有する。主覆い部６は図２、図３に示すように、着用者が顔面に装着したときに、鼻腔８及び上顎洞９の表面を含んで、顔面の顎部１０から口許部１１、鼻部１２及びその左右両側の頬部１３の全体を覆う大きさを有し、また突出覆い部７は着用者の鼻部１２の鼻梁１４の上下中間及びその左右両側から目頭部１５間の篩骨洞１６の表面周辺までを覆うようになっている。
【００２０】
このマスク本体３は、略対称な形状を有する左右一対の不織布シート１を重ね合わせて、その一対の不織布シート１をマスク本体３の左右方向の略中央で上下方向の接合縁２により略円弧状に一体に接合されている。
【００２１】
なお、マスク本体３は顎部１０、口許部１１、鼻部１２及びその左右両側の頬部１３を覆う大きさであるが、少なくとも口許部１１から鼻梁１４の上下方向の中間部、及び左右の両側の頬部１３を覆い得るものであればよい。接合縁２は熱溶着等により構成されている。
【００２２】
不織布シート１にはアレルギー性鼻炎症、花粉症等の原因物質である花粉等の通過を阻止し、且つ適度な通気性と保温性とを有するもの、例えば熱可塑性を有する合成樹脂繊維製の不織布シートが使用されている。
【００２３】
また不織布シート１はマスク本体３の上下両端に非接合部２ａができるように、その非接合部２ａ間を接合縁２で接合することが望ましい。これは、接合縁２で着用者の顔面等を傷つけないためである。なお、主覆い部６の下端が顎部１０から下側に突出する場合には、接合縁２はその下端まで設けてもよい。
【００２４】
熱可塑性を有する合成樹脂繊維の不織布としては、例えばオレフィン樹脂繊維、ポリエチレン樹脂繊維、ポリエステル樹脂繊維、ポリプロピレン樹脂繊維等の単繊維を素材とする不織布や、複合芯鞘繊維を素材とする不織布、あるいは積層複合不織布等を使用することができる。複合芯鞘繊維としては、ポリエステル−ポリエチレン芯鞘繊維、ポリプロピレン−ポリエチレン芯鞘繊維等を適用できる。積層複合不織布としては、綿とポリエチレンの積層不織布、レーヨンとポリエチレンの積層不織布、綿とポリプロピレンの積層不織布等を適用できる。なお、発熱シート５に使用する不織布についても同様である。
【００２５】
マスク本体３は、立体性のない平面状の不織布シート１を使用して略円弧状の接合縁２で接合し、その後に周縁を一体に裁断したものであって、着用に際して不織布シート１を左右に広げたときに接合縁２が前方に円弧状に張り出す立体形状を呈し、接合縁２及びその左右両側において、目頭部１５間と顎部１０とを除く上下方向の中間部分で顔面との間に所定の隙間ができるようになっている。
【００２６】
耳掛け部４は耳通し孔１７の上下に上辺部１８と下辺部１９とを有し、基部が各不織布シート１の接合縁２と反対側の上下方向の接合部２０で熱溶着等により接合されている。上辺部１８、下辺部１９は、マスク本体３を顔面に当てて耳掛け部４を耳部２１に掛けたときに、上辺部１８の張力が下辺部１９の張力よりも大になるように構成されている。耳掛け部４には、熱可塑性を有する合成樹脂繊維製の不織布シートが使用されている。
【００２７】
耳掛け部４は上辺部１８の張力が下辺部１９よりも大であれば、その構造等は問題ではないが、次のようなものがある。例えば、上辺部１８の幅を下辺部１９よりも大にしてもよいし、上辺部１８の長さを下辺部１９よりも短くしてもよい。また上辺部１８を二重構造にしてもよいし、別の不織布シートを上辺部１８の内側に前後方向に熱溶着等で設けてもよい。耳掛け部４はスリットを備え、装着する際にそのスリットを広げて耳通し孔１７を形成するようにしてもよい。また耳掛け部４はマスク本体３の左右両側に一体に設けてもよい。
【００２８】
発熱シート５は着用者の鼻部１２の鼻梁１４側面から目頭部１５近傍に掛けての鼻腔８及び篩骨洞１６の表面側を加温するための加温シートを構成するものである。この発熱シート５は、例えば図５、図６に示すように外周が熱溶着等によりシールされた不織布製の表シート２２及び裏シート２３と、その両シート２２，２３間の内部空間に充填された鉄粉を主成分とする発熱粉体２４と、裏シート２３の裏面側に設けられた貼着用の粘着部２５とを備え、マスク本体３の接合縁２の両側近傍で不織布シート１の内面に粘着部２５を介して貼着した場合に、着用者の顔面との間に所定の隙間ができるか、軽く接触する程度の厚さの可撓シート状に構成されている。
【００２９】
なお、発熱シート５は発熱粉体２４が空気と接触して酸化反応するときの反応熱により、鼻腔８、篩骨洞１６の表面等の被加温部位を体温と同等又は体温よりも若干高い程度の低温、例えば３８±２℃程度で発熱し加温するようになっている。粘着部２５は裏シート２３の裏面の略全面に塗工された粘着剤により形成され、剥離紙２６により保護されている。
【００３０】
発熱シート５は二枚一組としてガスバリアー性を有する密封袋２７に収納されており、使用に当たって密封袋２７から取り出して剥離紙２６を剥がし、粘着部２５を介して不織布シート１に貼着する。発熱シート５の接合縁２側、突出覆い部７の上端縁に対応する側は、接合縁２側、突出覆い部７の上端縁に沿う形状になっている。
【００３１】
なお、粘着部２５は例えばホットメルト感圧接着剤により構成されている。そして、ホットメルト感圧接着剤は、熱可塑性ポリマーをベースにした、溶剤や水を含まない接着性混合物からなる。勿論、粘着部２５にはその他の粘着剤を使用してもよい。
【００３２】
表シート２２、裏シート２３は通気性を有する熱可塑性繊維の不織布からなり、その周縁が熱溶着等によりシールされている。なお、裏シート２３は熱可塑性フィルム等を使用してもよい。また表シート２２は多数の微孔が形成されたフィルムを使用してもよい。また密封袋２７に発熱シート５を封入することにより、図５、図６に示すような構成の使い捨て立体マスク用の発熱シート封入体が構成されている。
【００３３】
この立体マスクの使用に際しては、密封袋２７から発熱シート５を取り出して、その発熱シート５をマスク本体３の接合縁２の両側近傍で不織布シート１の内面側に貼着する。この場合、マスク本体３の不織布シート１を左右に広げた状態で、発熱シート５の一側縁を接合縁２に合わせながら粘着部２５を介して発熱シート５を不織布シート１に貼着すれば、発熱シート５を不織布シート１の所定位置に容易に貼着することができる。
【００３４】
各不織布シート１に発熱シート５を貼着した後に、図２、図３に示すように左右の不織布シート１を両側に広げた状態で顔面に当て、その左右の耳掛け部４を耳部２１に掛けると、主覆い部６で鼻腔８及び上顎洞９の表面を含む顎部１０から口許部１１、鼻部１２及びその左右両側の頬部１３の全体を覆うことができ、また突出覆い部７で鼻部１２の鼻梁１４部及びその左右両側から目頭部１５間の篩骨洞１６の表面周辺までを覆うことができる。しかも、左右の発熱シート５により鼻部１２の鼻梁１４部の両側で鼻腔８及び篩骨洞１６の表面を加温することができる。
【００３５】
従って、アレルギー性鼻炎や花粉症等の原因物質を遮断できるだけでなく、顔面の鼻腔８、上顎洞９及び篩骨洞１６の周辺を保温すると同時に鼻腔８及び篩骨洞１６の周辺を所定温度に加温できるため、アレルギー性鼻炎、花粉症等の諸症状を緩和又は除去できる。特に顔面の鼻腔８の周辺だけでなく、重要加温部位である篩骨洞１６の周辺を一定に加温できるため、アレルギー性鼻炎、花粉症等の諸症状に対する緩和又は除去効果が大である。
【００３６】
また装着状態でも、図３、図４に示すように、突出覆い部７の上端を除く下側ではマスク本体３と顔面との間に隙間があり、その隙間が断熱空間、保温空間となるため、保温効果が非常に良好である。しかも不織布シート１の内側に発熱シート５を設けているが、断熱空間、保温空間となる隙間部分で不織布シート１の内側にシート状の発熱シート５を貼着しているため、発熱シート５が着用者の顔面に密着することがなく、発熱シート５の発熱温度が比較的低温であることと相俟って、顔面の被加温部位の低温火傷等を未然に防止できる。
【００３７】
発熱シート５は粘着部２５により不織布シート１の内面側に着脱自在に貼着しているため、不織布シート１への貼着が容易である他、発熱シート５の加温効果が低下すれば、古い発熱シート５を剥離して新しいものと容易に交換できる。従って、発熱シート５の加温効果が低下しても立体マスク自体を廃棄する必要がなく、立体マスクをある程度の期間繰り返して使用することも可能である。
【００３８】
この立体マスクは、左右の不織布シート１を上下方向の略円弧状の接合縁２で接合して主覆い部６及び突出覆い部７を有する立体形状に構成しているため、二枚重ねの不織布シート１を接合縁２で接合して所定形状に切り取る等によって製造でき、構造的に簡単で加工工数が特別に増加することもなく容易に製造することができる。
【００３９】
またマスク本体３の不織布シート１は左右に広げたときに、図３の二点鎖線で示す装着前の状態から上部側及び下部側が顔面側へと湾曲して実線で示す状態となる。そして、この状態で顔面に当てて左右の耳掛け部４を耳部２１に掛けると、マスク本体３の上下両側が耳掛け部４によって左右両側へと引っ張られて顔面に沿って引き絞られ、周縁部が顔面側に押し付けられる。
【００４０】
このためマスク本体３は主覆い部６の中央部に上方へと突出する突出覆い部７を備えた形状であるにも拘わらず、装着時にマスク本体３の周縁部と顔面との間に隙間ができ難くなり、保温性、フィット性が向上する。
【００４１】
しかも、耳掛け部４は上辺部１８の張力が下辺部１９の張力よりも大であるため、突出部を含むマスク本体３の上部側を顔面に確実にフィットさせることができ、装着状態での顔面の筋肉の動き等による下側へのずれ等を無くすることができる。
【００４２】
因みに所定の供試マスクを使用して耳掛け部４の張力を測定したところ、図７に示すような結果が得られた。測定方法は男女三人の着用者が供試マスクを装着して、耳掛け部４の上辺部１８、下辺部１９にばねバカリを掛けて、顔面から離れる方向に３ｃｍ引っ張ったときの値を測定した。図７の各数値は上辺部１８、下辺部１９の夫々について３回ずつ測定し、その平均値を示す。なお、左右の数値が異なるのは、着用者が右利きか左利きかによるものであり、利き腕の方の値が大きくなる傾向にある。また着用者が男性の場合に数値が大きいのは、顔が大きいことによるものである。単位はｇである。
【００４３】
このように装着状態において上辺部１８の張力が下辺部１９よりも大きくなるように耳掛け部４を構成することによって、マスク本体３の周縁部の顔面に対する押し付け力が大になり、フィット性がより向上することが確認できた。
【００４４】
図８〜図１０は本発明の第２の実施例を例示する。この立体マスクは、図８、図９に示すようにマスク本体３が複層構造になっており、その層間に発熱シート５が介在されている。マスク本体３は外側マスク部３０と、この外側マスク部３０の内側に配置された内側マスク部３１とを有する複層構造となっている。
【００４５】
各マスク部３０，３１は左右の不織布シート１を円弧状の接合縁２で接合して構成され、その外側マスク部３０の両端に接合部２０を介して耳掛け部４が設けられている。なお、内側マスク部３１は外側マスク部３０よりも若干小さくなっている。
【００４６】
内側マスク部３１は左右両端に上下方向の粘着部３２を有し、外側マスク部３０との間に若干の空間を置いて両端の粘着部３２が外側マスク部３０の内面側に着脱自在に貼着されている。そして、この外側マスク部３０と内側マスク部３１との間の空間に、着用者の篩骨洞１６の表面等の被加温部位を加温するシート状の発熱シート５が左右別々に出し入れ自在に挿入されている。
【００４７】
外側マスク部３０に内側マスク部３１を貼着する場合の両者間の隙間は、発熱シート５が移動し難くなる程度にすることが望ましい。なお、内側マスク部３１は左右両端部で外側マスク部３０の内側に熱融着等で固着しておいてもよい。
【００４８】
この発熱シート５は図１０に示すように二枚一組で密封袋２７に封入されている。なお、この発熱シート５は、第１の実施例とは異なって粘着部２５、剥離紙２６等を備えていない。その他の構成は第１の実施例と略同様である。
【００４９】
使用に際しては、外側マスク部３０、内側マスク部３１を左右に広げて立体形状にし、その外側マスク部３０の内側に内側マスク部３１を粘着部３２を介して貼着することにより、内外方向に複層構造のマスク本体３を構成する。そして、密封袋２７から取り出した発熱シート５を、着用者の顔面の被加温部位に対応して外側マスク部３０と内側マスク部３１との間の空間に挿入し、その状態で着用者の顔面に装着する。
【００５０】
このようにマスク本体３が複層構造の立体マスクでは、アレルギー性鼻炎や花粉症等の原因物質を遮断する遮断効果、顔面に対する保温効果及び加温効果が更に向上する。また外側マスク部３０と内側マスク部３１との間に発熱シート５があるため、発熱シート５が直接顔面に接触するような違和感もない。しかも、発熱シート５は外側マスク部３０と内側マスク部３１との間の内部空間に挿入しているため、その内部空間内で任意の位置に配置することもできる。
【００５１】
図１１は本発明の第３の実施例を例示する。この立体マスクは、第２の実施例と同様に外側マスク部３０と内側マスク部３１との複層構造となっている。そして、（Ａ）の立体マスクは外側マスク部３０の内側に、（Ｂ）の立体マスクは内側マスク部３１の外側に夫々粘着部２５を介して発熱シート５が着脱自在に貼着されている。
【００５２】
このようにマスク本体３を複層構造として、その層間に発熱シート５を介装する場合でも、粘着部２５を介して外側マスク部３０又は内側マスク部３１に発熱シート５を貼着してもよい。また（Ｂ）の場合には内側マスク部３１の外側に発熱シート５を貼着するため、内側マスク部３１を偏平状に閉じた状態で発熱シート５を貼着でき、発熱シート５を容易に貼着できる。
【００５３】
図１２〜図１４は本発明の第４の実施例を例示する。この立体マスクは、マスク本体３の左右の不織布シート１に保形体３３が設けられ、その保形体３３に対応して発熱シート５が粘着部２５を介して不織布シート１の内面側に貼着されている。
【００５４】
保形体３３は不織布シート１の上部側を顔面の凹凸形状に沿わせるためのもので、薄い帯状等に構成され、各不織布シート１の前面側上部等の適当箇所に、例えば突出覆い部７の上端側から主覆い部６の接合部２０の上端側との間にその上端縁に沿って斜め方向に略対称に設けられている。
【００５５】
この保形体３３は例えば分子配列が一軸方向に配列されたポリオレフィン系合成樹脂製等のテープ状のもの、又は複数本の金属線材を設けたもの等が適当である。なお、保形体３３はマスク本体３の内面側に設けてもよい。また保形体３３は不織布等のカバー３４で覆っている。更に保形体３３は各不織布シート１に対応する部分を一体にしてもよい。
【００５６】
発熱シート５は上部と下部との複数箇所に粘着部２５が設けられ、上部の粘着部２５が保形体３３に対応する位置で、下部の粘着部２５が保形体３３から外れた位置で夫々不織布シート１の内側に着脱自在に貼着されている。なお、粘着部２５は裏面側の略全面に設けてもよい。
【００５７】
このようにすれば、装着後に保形体３３を前側から顔面側へと押圧する等して、図１３に示すように保形体３３を鼻梁１４部の両側部分の凹凸形状に沿って屈曲させることにより、マスク本体３の上部側のフィット性がより向上する。
【００５８】
また保形体３３に対応して不織布シート１に粘着部２５を貼着することにより、粘着部２５を介しての発熱シート５の貼着が容易であり、しかも発熱シート５の剛性が不織布シート１のそれよりも大きい場合でも、その保形体３３によって発熱シート５を顔面の凹凸形状に沿って確実に支持できる。従って、マスク本体３を閉じた状態で発熱シート５を貼着し、その後にマスク本体３の不織布シート１を左右に広げるような場合でも、不織布シート１にしわ等ができることもない。
【００５９】
またマスク本体３を広げた場合には、各不織布シート１は縦方向にも円弧状になる。このためマスク本体３を広げて立体形状にした後に、下側の粘着部２５を不織布シート１に押し付けて貼着すれば、発熱シート５の下部側を固定できるだけでなく、上下の粘着部２５間での不織布シート１のしわの発生等も防止できる。
【００６０】
図１５、図１６は本発明の第５の実施例を例示する。この立体マスクでは、発熱シート５の左右に粘着部２５が設けられ、その粘着部２５を介して発熱シート５が不織布シート１の内側に着脱自在に貼着されている。例えば、発熱シート５の接合縁２に近い側には、その端縁側に上下方向の広い範囲に粘着部２５が設けられている。
【００６１】
この場合には左右の不織布シート１を広げた後、例えば図１６に二点鎖線で示すように、接合縁２に近い側の粘着部２５をその近傍で不織布シート１に貼着する。そして、次にマスク本体３を所定の立体形状に広げた後、遠い側の粘着部２５を不織布シート１に押し付けて貼着する。このようにすれば、発熱シート５が左右方向に長い場合でも、左右の粘着部２５間での不織布シート１のしわ等を防止できる。
【００６２】
図１７〜図２２は本発明の第６の実施例を例示する。この立体マスクでは、図１７〜図２０に示すように、鼻部１２の頂部から上側の接合縁２が略直線状に形成され、左右の不織布シート１に対応する発熱部５ａを一体に備えた一体型の発熱シート５がその直線部２ｂに対応して不織布シート１の内側に着脱自在に貼着されている。なお、マスク本体３は保形体３３を有し、その保形体３３に対応して発熱シート５を貼着してもよい。発熱シート５は、左右の不織布シート１に跨がる長さを有するものであれば、左右の上顎洞９を加温する長さでもよい。
【００６３】
発熱シート５は図２１に示すように左右方向に長い帯状等の表シート２２及び裏シート２３を有し、その中間部を除く両側に、両シート２２，２３間に発熱粉体２４が充填された発熱部５ａが設けられ、また裏シート２３の裏面には略全面に粘着部２５と、これを保護する剥離紙２６とが設けられている。発熱シート５は左右両側の発熱部５ａと、この両発熱部５ａを左右方向の略中央で接続する接続部５ｂとを有する構造になっている。勿論、使用前の発熱シート５は、図２２に示すように密封袋２７により密封されている。
【００６４】
この立体マスクの使用に際しては、マスク本体３を広げて立体形状にした後、発熱部５ａ間の接続部５ｂが接合縁２に、両側の発熱部５ａが接合縁２の両側で不織布シート１に夫々対応するように、粘着部２５を介して発熱シート５を左右の不織布シート１の内側に貼着する。
【００６５】
このように各不織布シート１に対応する２個の発熱部５ａを有する発熱シート５を使用すれば、左右の不織布シート１に発熱シート５を個別に貼着する場合に比較して便利である。また発熱シート５は上下方向に所定の幅を有するが、接合縁２の直線部２ｂに対応してその裏側に貼着しているため、不織布シート１を左右に広げてマスク本体３を立体形状にした場合にも、発熱シート５が接合縁２に沿って上下方向に湾曲するようなこともない。従って、マスク本体３を立体的にした場合に、その形状が発熱シート５によって損なわれるようなこともない。
【００６６】
図２３〜図２６は本発明の第７の実施例を例示する。この実施例の発熱シート５は、図２３、図２４に示すように、各不織布シート１に対応する発熱部５ａ間の接続部５ｂを除く両側に粘着部２５が設けられている。従って、接続部５ｂの裏側には粘着部２５がない。
【００６７】
このようにすれば、発熱シート５の不織布シート１に対する貼着が容易であると共に、その後にマスク本体３を立体形状へと容易に広げることができる。発熱シート５を貼着するときには、粘着部２５を外側にして発熱シート５を二つ折り状にし、図２５に示すように粘着部２５のない接続部５ｂに弛み５ｃを持たせて、その状態でＶ字状の一対の不織布シート１間に挿入する。そして、二つ折り状の発熱シート５の先端がＶ字状の一対の不織布シート１間に当たれば、一対の不織布シート１を両側から加圧して粘着部２５を各不織布シート１に貼着する。
【００６８】
その後、両不織布シート１を左右に広げると、発熱シート５の接続部５ｂ側に弛み５ｃ分があるので、先に両不織布シート１に貼着しているにも拘わらず、発熱シート５が障害となることもなくマスク本体３を立体形状に広げることができる。
【００６９】
なお、発熱シート５の接続部５ｂの弛み５ｃは、貼着に際して持たせてもよいが、図２６に示すように、発熱シート５の製造工程において、表シート２２と裏シート２３とを熱溶着するときに、熱成型等で予め成型しておいてもよい。
【００７０】
図２７〜図３１は本発明の第８の実施例を例示する。この実施例の発熱シート５は、図２７〜図２９に示すように、左右方向の略中央にマスク本体３の接合縁２に対応して切り欠き部３５が形成されている。この切り欠き部３５は中間に接続部５ｂを残して上下両側からＵ字状に形成されている。発熱シート５の裏面には粘着部２５が設けられているが、略全面に設けてもよいし、略全体に略均一に分散して筋状又は点状に設けてもよい。また発熱シート５は通常は密封袋２７に封入されている。
【００７１】
これらの発熱シート５を使用する場合には、発熱シート５を密封袋２７から取り出した後、切り欠き部３５がマスク本体３の接合縁２の内側に対応するように、粘着部２５を介
して不織布シート１の内側に貼着する。その際に、例えば図３０に示すように発熱シート５を二つ折り状にして、接続部５ｂをマスク本体３の左右の不織布シート１の接合縁２の内側に当てて、その接続部５ｂを接合縁２側へと押し込む。
【００７２】
このようにすると、図２７に二点鎖線で示すように上下の切り欠き部３５の左右幅が狭くなりながら、マスク本体３の立体形状に沿って発熱シート５全体が変形する。従って、広げたときに立体形状になるマスク本体３にシート状の発熱シート５を貼着しているにも拘わらず、マスク本体３の立体形状に沿って発熱シート５を容易に変形させることができ、マスク本体３、発熱シート５の何れにもしわ等が発生することはない。このため発熱シート５の貼着部位の接合縁２を直線状に構成する必要もない。
【００７３】
切り欠き部３５は、図３１の（Ａ）に示すように上側の接続部５ｂを残して下側にＶ字状に形成してもよいし、（Ｂ）に示すように下側の接続部５ｂを残して上側からスリット状に形成してもよい。また切り欠き部３５は（Ｃ）に示すように上下両側の接続部５ｂを残して中間に長孔等の開口状に形成してもよい。
【００７４】
粘着部２５は、（Ａ）に示すように接続部５ｂを含む裏面側の略全面に設ける他、（Ｂ）に示すように接続部５ｂと切り欠き部３５の両側近傍等の複数箇所に設けてもよいし、（Ｃ）に示すように接続部５ｂのみ設けてもよい。
【００７５】
なお、（Ｂ）に示すように上下方向、左右方向に間隔を置いて粘着部２５を設けるか、または（Ｃ）に示すように上下方向に間隔を置いて粘着部２５を設けておけば、マスク本体３を左右に広げて立体形状にする場合に、その内面側に発熱シート５があるにも拘わらず、この発熱シート５が邪魔にならず左右の不織布シート１を所定形状に湾曲させることができる。
【００７６】
図３２、図３３は本発明の第９の実施例を例示する。図３２は使い捨て立体マスク封入体を示し、この使い捨て立体マスク封入体は、ガスバリアー性を有する密封袋３７内に、一体型の発熱シート５を備えた立体マスク３６が封入されている。発熱シート５は、不織布シート１と、外周が不織布シート１に熱融着等で固着された不織布製の表シート２２との間に発熱粉体２４が充填されている。なお、立体マスク３６は、偏平状態又はそれを二つ折り等に折り畳んだ状態で密封袋３７に封入されており、使用時に密封袋３７から取り出す。
【００７７】
このように発熱シート５を備えた立体マスク３６を密封袋３７に封入してもよい。この場合には、発熱シート５を貼着する煩わしさがなく、発熱シート５付きの立体マスク３６を簡便に使用できる。またマスク本体３の不織布シート１を利用して設けてもよい。
【００７８】
図３４、図３５は本発明の第１０の実施例を例示する。この実施例の使い捨て立体マスク封入体は、ガスバリアー性を有する密封袋３７内に、貼着型の発熱シート５を備えた立体マスク３６が封入されている。発熱シート５は各不織布シート１に対応する発熱部５ａを有し、裏シート２３側の粘着部２５を介してマスク本体３の各不織布シート１に貼着されている。発熱部５ａ間の接続部５ｂには粘着部２５がなく、その部分に弛み５ｃを持たせた状態で発熱シート５が各不織布シート１に貼着されている。
【００７９】
このように立体マスク封入体３８は、貼着型の発熱シート５を備えた立体マスク３６を密封袋２７に収納したものでもよい。なお、粘着部２５により発熱シート５をマスク本体３に貼着する場合に、その粘着部２５は発熱シート５の裏面の略全面に設けてもよいし、筋状、点状等に設けてもよい。
【００８０】
図３６、図３７は本発明の第１１の実施例を例示する。この発熱シート５は、図３６に示すように、発熱部５ａ間の接続部５ｂに上下方向にミシン目、ハーフカット等の破断部３９が形成されている。なお、この発熱シート５は、通常は粘着部２５に剥離紙２６を貼って密封袋２７に封入されている。粘着部２５は略全面、又は一部の何れでもよい。また発熱シート５は、マスク本体３の中央上部の形状に合わせて、破断部３９の両側でく字状に屈曲する形状になっている。
【００８１】
このような構成の発熱シート５は、次のような使用が可能である。例えば図３７に示すように、二つ折りの発熱シート５をＶ字状に広げた左右の不織布シート１の内側に粘着部２５を介して貼着した後、両不織布シート１を左右に引っ張れば、マスク本体３が立体状になる過程で破断部３９に破断力が掛かって、破断部３９の上下両側又は一方側が左右に破断する。このため発熱シート５をマスク本体３の立体形状に合わせて貼着できる。
【００８２】
また図３７の状態から、接続部５ｂを接合縁２側に押圧して押し込んで行くと、そのときに破断部３９が破断するため、発熱シート５をマスク本体３の立体形状に合わせて貼着できる。更に破断部３９で破断して発熱部５ａ毎に別々に貼着してもよい。
【００８３】
以上、本発明の各実施例について詳述したが、各実施例に限定されるものではなく、本発明の趣旨を逸脱しない範囲で種々の変更が可能である。例えば、実施例では、マスク本体３は主覆い部６の上側に篩骨洞１６の表面近傍まで覆う突出覆い部７を備えたものを例示しているが、突出覆い部７のないものでもよい。
【００８４】
また発熱シート５は篩骨洞１６の表面部分を加温する他、鼻腔８、上顎洞９の表面を加温する大きさ、例えば左右方向に長い帯状等に構成してもよい。従って、発熱シート５の外形状は別段問題ではない。
【００８５】
発熱シート５は立体マスクの着用時に着用者の顔面に接触しないことが望ましいが、接触するようにしてもよい。貼着型の発熱シート５の場合、その裏面側の粘着部２５は略前面に設けてもよいし、筋状、点状に略均等に分散させて設けてもよい。更に接続部５ｂのみ、又は接続部５ｂを除く略全領域等に部分的に設けてもよい。なお、破断部３９は接続部５ｂの上下両側に設けてもよいし、Ｖ字状、Ｕ字状その他の形状に形成してもよい。
【００８６】
また各実施例では、加温シートとして、発熱粉体２４の反応熱を利用した発熱シート５を例示しているが、この発熱シート５以外のもの、例えばシート材に遠赤外線発生材料のナノ粉体、微粉体等を適宜バインダーで塗工した加温シート、更には繊維内に遠赤外線発生材料のナノ粉体、微粉体等を混練した加温シート等でもよい。また発熱シート、加温シートに代替して、積極的に顔面を加温する機能のない不織布シート、織布シートその他の保温シートを採用してもよい。
【００８７】
更に各実施例では、マスク本体３の内面側又は内部に発熱シート５等の加温シートを設けたものを例示しているが、マスク本体３の前面に発熱シート５等の加温シートを設けることも可能である。また加温シートとして発熱シート５を使用する場合、発熱シート５の前面側に通気性のないフィルム等を貼着して、発熱シート５の裏面側の通気作用により内部の発熱粉体２４に空気を送るようにしてもよい。
【００８８】
またマスク本体３の左右の不織布シート１の内面側の上縁部或いはその近傍、及び／又は発熱シート５等の加温シートの内面側の上端部等に粘着部等の滑り止め部を設け、この滑り止め部によって、装着状態のマスク本体３が着用者の顔面に対して上下に移動し難くなるようにしてもよい。
【符号の説明】
【００８９】
２  接合縁
３  マスク本体
４  耳掛け部
５  発熱シート（加温シート）
２５  粘着部
５ａ  発熱部
５ｂ  接続部
２２  表シート
２３  裏シート
２４  発熱粉体
３３  保形体
３５  切り欠き部
３６  使い捨て立体マスク
３７  密封袋
３９  破断部
【図１】
2011143277.tif 000003
【図２】
2011143277.tif 000004
【図３】
2011143277.tif 000005
【図４】
2011143277.tif 000006
【図５】
2011143277.tif 000007
【図６】
2011143277.tif 000008
【図７】
2011143277.tif 000009
【図８】
2011143277.tif 000010
【図９】
2011143277.tif 000011
【図１０】
2011143277.tif 000012
【図１１】
2011143277.tif 000013
【図１２】
2011143277.tif 000014
【図１３】
2011143277.tif 000015
【図１４】
2011143277.tif 000016
【図１５】
2011143277.tif 000017
【図１６】
2011143277.tif 000018
【図１７】
2011143277.tif 000019
【図１８】
2011143277.tif 000020
【図１９】
2011143277.tif 000021
【図２０】
2011143277.tif 000022
【図２１】
2011143277.tif 000023
【図２２】
2011143277.tif 000024
【図２３】
2011143277.tif 000025
【図２４】
2011143277.tif 000026
【図２５】
2011143277.tif 000027
【図２６】
2011143277.tif 000028
【図２７】
2011143277.tif 000029
【図２８】
2011143277.tif 000030
【図２９】
2011143277.tif 000031
【図３０】
2011143277.tif 000032
【図３１】
2011143277.tif 000033
【図３２】
2011143277.tif 000034
【図３３】
2011143277.tif 000035
【図３４】
2011143277.tif 000036
【図３５】
2011143277.tif 000037
【図３６】
2011143277.tif 000038
【図３７】
2011143277.tif 000039
【手続補正書】
【提出日】平成23年4月25日(2011.4.25)
【手続補正１】
【補正対象書類名】特許請求の範囲
【補正対象項目名】全文
【補正方法】変更
【補正の内容】
【特許請求の範囲】
【請求項１】
マスク本体（３）と、該マスク本体（３）の左右両側に設けられた一対の耳掛け部（４）とを備え、前記マスク本体（３）は左右の不織布シート（１）を該マスク本体（３）の略中央で上下方向の略円弧状の接合縁（２）により接合した不織布製の使い捨て立体マスクであって、前記マスク本体（３）は着用者の顎部（１０）から鼻部（１２）及び左右両側の頬部（１３）を覆う主覆い部（６）と、該主覆い部（６）の左右中央部分から上方へと山形状に突出し且つ着用者の鼻梁（１４）及び該鼻梁（１４）の左右両側から目頭部（１５）間の篩骨洞（１６）の表面周辺を覆う突出覆い部（７）とを前記左右の不織布シート（１）により構成し、前記主覆い部（６）及び前記突出覆い部（７）の前記各不織布シート（１）に、前記鼻梁（１４）の左右側面から前記目頭部（１５）近傍にかけての鼻腔（８）及び前記篩骨洞（１６）の表面周辺を加温する加温シート（５）を設けたことを特徴とする使い捨て立体マスク。
【請求項２】
前記突出覆い部（７）の上端を除く下側では前記マスク本体（３）と顔面との間に隙間があることを特徴とする請求項１に記載の使い捨て立体マスク。
【請求項３】
前記加温シート（５）は前記マスク本体（３）の内面に設けたことを特徴とする請求項１又は２に記載の使い捨て立体マスク。
【請求項４】
前記加温シート（５）は前記左右の不織布シート（１）に跨がる長さを有し、該加温シート（５）に前記接合縁（２）に対応して切り欠き部（３５）を設けたことを特徴とする請求項１〜３の何れかに記載の使い捨て立体マスク。
【請求項５】
前記各不織布シート（１）に前記加温シート（５）を別々に設けたことを特徴とする請求項１〜３の何れかに記載の使い捨て立体マスク。
【請求項６】
前記各加温シート（５）は前記接合縁（２）の両側近傍で前記各不織布シート（１）に設けたことを特徴とする請求項５に記載の使い捨て立体マスク。
【請求項７】
前記加温シート（５）を粘着部（２５）を介して前記不織布シート（１）に着脱自在に貼着したことを特徴とする請求項１〜６の何れかに記載の使い捨て立体マスク。
【請求項８】
前記マスク本体（３）は前記各不織布シート（１）の上部を着用者の顔面の凹凸形状に沿わせるための保形体（３３）を有し、該保形体（３３）に対応して前記不織布シート（１）に前記加温シート（５）を貼着したことを特徴とする請求項１〜７の何れかに記載の使い捨て立体マスク。
【請求項９】
前記加温シート（５）は発熱粉体（２４）の反応熱により加温する発熱シートであることを特徴とする請求項１〜８の何れかに記載の使い捨て立体マスク。
【請求項１０】
前記加温シート（５）は前記各不織布シート（１）に対応する発熱部（５ａ）と、該両発熱部（５ａ）間を接続する接続部（５ｂ）とを備えた発熱シートであることを特徴とする請求項４に記載の使い捨て立体マスク。
【手続補正３】
【補正対象書類名】明細書
【補正対象項目名】０００１
【補正方法】変更
【補正の内容】
【０００１】
本発明は、着用者の顔面の所要部位を加温できる使い捨て立体マスクに関するものである。
【手続補正４】
【補正対象書類名】明細書
【補正対象項目名】０００７
【補正方法】変更
【補正の内容】
【０００７】
本発明は、従来のこのような課題に鑑み、製作が容易で加温性、フィット性に優れた使い捨て立体マスクを提供することを目的とする。
【手続補正５】
【補正対象書類名】明細書
【補正対象項目名】０００８
【補正方法】変更
【補正の内容】
【０００８】
本発明に係る使い捨て立体マスクは、マスク本体３と、該マスク本体３の左右両側に設けられた一対の耳掛け部４とを備え、前記マスク本体３は左右の不織布シート１を該マスク本体３の略中央で上下方向の略円弧状の接合縁２により接合した不織布製の使い捨て立体マスクであって、前記マスク本体３は着用者の顎部１０から鼻部１２及び左右両側の頬部１３を覆う主覆い部６と、該主覆い部６の左右中央部分から上方へと山形状に突出し且つ着用者の鼻梁１４及び該鼻梁１４の左右両側から目頭部１５間の篩骨洞１６の表面周辺を覆う突出覆い部７とを前記左右の不織布シート１により構成し、前記主覆い部６及び前記突出覆い部７の前記各不織布シート１に、前記鼻梁１４の左右側面から前記目頭部１５近傍にかけての鼻腔８及び前記篩骨洞１６の表面周辺を加温する加温シート５を設けたものである。
【手続補正６】
【補正対象書類名】明細書
【補正対象項目名】０００９
【補正方法】変更
【補正の内容】
【０００９】
前記突出覆い部７の上端を除く下側では前記マスク本体３と顔面との間に隙間があることが望ましい。前記加温シート５は前記マスク本体３の内面に設けてもよい。前記加温シート５は前記左右の不織布シート１に跨がる長さを有し、該加温シート５に前記接合縁２に対応して切り欠き部３５を設けてもよい。
【手続補正７】
【補正対象書類名】明細書
【補正対象項目名】００１０
【補正方法】変更
【補正の内容】
【００１０】
前記各不織布シート１に前記加温シート５を別々に設けてもよい。前記各加温シート５は前記接合縁２の両側近傍で前記各不織布シート１に設けることが望ましい。前記加温シート５を粘着部２５を介して前記不織布シート１に着脱自在に貼着してもよい。
【手続補正８】
【補正対象書類名】明細書
【補正対象項目名】００１１
【補正方法】変更
【補正の内容】
【００１１】
前記マスク本体３は前記各不織布シート１の上部を着用者の顔面の凹凸形状に沿わせるための保形体３３を有し、該保形体３３に対応して前記不織布シート１に前記加温シート５を貼着してもよい。
【手続補正９】
【補正対象書類名】明細書
【補正対象項目名】００１２
【補正方法】変更
【補正の内容】
【００１２】
前記加温シート５は発熱粉体２４の反応熱により加温する発熱シートでもよい。前記加温シート５は前記各不織布シート１に対応する発熱部５ａと、該両発熱部５ａ間を接続する接続部５ｂとを備えた発熱シートでもよい。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】変更
【補正の内容】
【００１４】
本発明に係る使い捨て立体マスクは、製作が容易で加温性、フィット性に優れたものとなり、顔面を効率的に加温することができる。
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】削除
【補正の内容】